(57)【要約】      （修正有）【課題】取扱い性に優れ、従来とは異なる観点からの刺激性を実現した精子採取装置を提供する。【解決手段】概ね円筒状の容器本体の内部に微細突起部を設けた精液採取装置で、微細突起部が、内装部材６の表面に設けられ、複数の内装部材が間隔を置いて容器本体内に設けられている。内装部材は、弾力を有する弾性体であり、例えば、シリコーン樹脂、ポリスチレン樹脂、エラストマー等の弾力と柔軟性、伸縮性を合わせ持った材料を弾性体として構成する。使用方法も簡易である為、性機能障害者や身体障害者、老人などでも使用が可能であり、ＥＤ治療その他医療施設以外での使用も容易である。【選択図】図２
2012239560.tif 000002
【特許請求の範囲】
【請求項１】
概ね円筒状の容器本体の内部に微細突起部を設けたことを特徴とする精子採取装置。
【請求項２】
微細突起部における微細突起が、マイクロレンズ状の表面突起である請求項１に記載の精子採取装置。
【請求項３】
微細突起部が、内装部材の表面に設けられ、複数の内装部材が間隔を置いて容器本体内に設けられている前記請求項１または請求項２に記載の精子採取装置。
【請求項４】
複数の内装部材が間隔を置いて、近位部の容器本体内周に沿って設けられている前記請求項３に記載の精子採取装置。
【請求項５】
容器本体遠位部の内部が空洞である前記請求項１〜請求項４のいずれかに記載の精子採取装置。
【請求項６】
容器本体遠位部の内部に向けての液体噴霧手段を有する前記請求項１〜請求項５のいずれかに記載の精子採取装置。
【請求項７】
前記請求項１〜請求項６のいずれかに記載の精子採取装置に用いるための表面に微細突起を有する刺激用部材。
【発明の詳細な説明】
【技術分野】
【０００１】
本発明は、弾性を持った精子採取装置及びこれに用いる弾性部材に関する。
【背景技術】
【０００２】
医学的な研究や治療上及び社会的な必要性から、精子を採取するための精子採取装置は公益的観点から見て有意義である。例えば、夫婦間の不妊原因の究明、性機能障害の治療のための検体として精子を採取する必要があり、人工授精においても、精子を確保・保存するためには精子の採取が前提となる。また、個人的な性的欲求を解消させることによる性犯罪の予防、買春防止、性感染症感染者数の減少等の様々な面で、精子採取装置は社会的な需要を満たし公益に資する。更に、最近では健常者のみならず、各種養・介護施設における高齢者や障害者の性的欲求処理の必要性が着目されている。
【０００３】
このように、従来、精子採取装置の開発が求められており、様々な形態の精子採取装置が提案されてきた。例えば、特許文献１には、外形を略円筒状に形成した容器本体内に、内部に深い凹部空間を有する弾性変形自在な合成樹脂製の内装材を設け、当該内装材の内側には凹部空間へ突出した複数の小突起及び／又は襞状部を設けることを特徴とする精子採取器が提案されている。ここで、小突起及び／又は襞状部の寸法は規定されていないが、同文献添付の図面によれば、肉眼で明確に視認し得る程度の小突起及び／又は襞状部を設けていることは明らかである。
【０００４】
また、特許文献２〜５においては、容器本体内にゲル状樹脂製のコア部材を収容した精子採取装置が提案されている、しかし、これらの精子採取装置は、容器本体内にゲル状樹脂製のコア部材の形状等に特徴があり、全体として重量が大きいという問題がある。実際、特許文献２〜５と同一の出願人による特許文献６においては、これらの装置を用いた場合、利用者の腕に負担がかかって疲労し易いという問題が指摘されている。もっとも、特許文献６は従来の装置に回転機能を持たせたものであり、装置重量による利用者の負担は依然として解消されていない。
【０００５】
この点は、従来、提案されている他の精子採取装置（特許文献７〜９）においても同様である。また、従来の精子採取装置は、例えば直線または波線状のリブ、ポリープ状の突起を設けるなど、いずれも膣構造を模すことにより刺激を図っているが、このようなアプローチには限界がある。
【先行技術文献】
【特許文献】
【０００６】
【特許文献１】実用新案登録第３０７６６２７号
【特許文献２】ＷＯ２００６／１３２１２５Ａ１
【特許文献３】特開２００６−３３４１７６公報
【特許文献４】特開２００６−３４０８７０公報
【特許文献５】特開２００６−３４０８７１公報
【特許文献６】特開２００８−２８９６７３公報
【特許文献７】特許公開平８−１３１５５５
【特許文献８】特許公開平１０−９９３６１
【特許文献９】特許公開２００８−１４８７７４
【発明の概要】
【発明が解決しようとする課題】
【０００７】
このように、従来品は、基本的に、シリコーンなどの弾性を持った樹脂の柔軟性を特徴とし、内部での肉眼で視認できる明確な突起や襞構造を刺激材とするため、弾性樹脂を大量に使用し重量が大きく取り扱いにくいという問題がある。また、基本的に膣構造を模すことにより刺激を図っているが、このようなアプローチには限界や問題がある。本発明は、これらの問題点を踏まえ、取扱い性に優れ、従来とは異なる観点からの刺激性を実現した精子採取装置を提供することを目的とする。
【課題を解決するための手段】
【０００８】
［１］概ね円筒状の容器本体の内部に微細突起部を設けたことを特徴とする精子採取装置。
［２］微細突起部における微細突起が、マイクロレンズ状の表面突起である前記［１］に記載の精子採取装置。
［３］微細突起部が、内装部材の表面に設けられ、複数の内装部材が間隔を置いて容器本体内に設けられている前記［１］または［２］に記載の精子採取装置。
［４］複数の内装部材が間隔を置いて、近位部の容器本体内周に沿って設けられている前記［３］に記載の精子採取装置。
［５］容器本体遠位部の内部が空洞である前記［１］〜［４］のいずれかに記載の精子採取装置。
［６］容器本体遠位部の内部に向けての液体噴霧手段を有する前記［１］〜［５］のいずれかに記載の精子採取装置。
［７］前記［１］〜［６］のいずれかに記載の精子採取装置に用いるための表面に微細突起を有する刺激用部材。
【発明の効果】
【０００９】
本発明の精子採取器は、円筒状容器本体内にペニスを挿入した状態で容器本体を把持し特定の微細突起部によりペニス摺擦時の摩擦刺激を提供する。微細突起部は特殊な形状や加工を必要としないため、従来技術と比べ低廉かつ軽量に製造でき、しかも使い捨てタイプとすることができるために衛生上、健康上の問題も惹起しない簡易な精子採取装置が得られる。
【００１０】
本発明によれば、使用者の陰茎への物理的刺激を、内部のゲル状の弾性樹脂の柔軟性に加え、本体容器内部の弾性体の表面に施した細かい無数のマイクロレンズ状の表面のエンボスにより達成するため、これまでにない充実した刺激を利用者に提供し、陰茎に効率的な刺激を与え、精液の円滑な採取を可能にする。
【００１１】
また、先端に容器内部に液体を噴霧するスプレー機能を有することにより、常にローション(潤滑剤)の潤滑性と適度な湿度を保ち、ローション(潤滑剤)の使用量を最小限に抑えることが可能となり、湿度を利用者の操作により適時適量に調節可能である。
【００１２】
さらに、筒状の容器が分解できるため、容易に洗浄ができるだけでなく、衛生的に管理し、使用できる。また、スプレーとペニスバンドはちょうど容器の中に収納できる大きさになっているため、嵩張ることなく持ち運びに便利な仕様となっている。
【００１３】
こうした精子採取装置の発展や普及は、利用者自らの性衝動を抑え、自制を促し、性的欲求の自己管理を可能とする。さらにはこうした道具を使用することで、性病の感染防止、ＨＩＶエイズウィルス感染の防止にもつながり、世界的に不毛な性犯罪や売春行為の抑止に間接的に寄与することも十分に可能である。
【００１４】
その他にも、性機能障害者や独身者、身体障害者、ＨＩＶ患者、高齢者などの、性行為をすることが困難な人物であっても、周りに影響を与えることなく、問題無く使用でき、使用方法も簡易であるため、ＥＤ治療や精液採取などの医療研究目的にも応用が可能である。
【図面の簡単な説明】
【００１５】
【図１】本発明の精子採取装置一態様の外観を示す斜視図である。
【図２】図１による本発明の精子採取装置一態様の分解斜視図である。
【図３】図１による本発明の精子採取装置一態様の分解斜視図（図２とは反対側（遠位端）から見込んだ図）である。
【図４】本発明の精子採取装置一態様の側面図である。
【図５】本発明の精子採取装置一態様の分解側面図である。
【図６】本発明の精子採取装置一態様で用いる表面突起部の拡大図である。
【図７】本発明の精子採取装置一態様の微細突起部を含む断面図である。
【図８】本発明の精子採取装置の微細突起部の一例を示す斜視図である。
【図９】本発明の精子採取装置と併用可能な固定具の一例を示す模式図である。
【発明を実施するための形態】
【００１６】
以下、図面を参照して本発明をより詳細に説明する。
【００１７】
図１に本発明の精子採取装置２０の一態様の外観を、図２、図３にその分解斜視図を、図４に側面図を、図５に分解側面図を示す。なお、本発明の装置は、その内部に陰茎を挿入することにより使用するが、以下、その際、人体に近い側を「近位」と言い、その反対側（陰茎挿入時の亀頭側）を「遠位」という。
【００１８】
本発明の装置は、基本的には、図１〜５に示すように概ね円筒形状の容器を有する。この容器は陰茎を受け入れ可能な空間を内部に有し、容器内表面に少なくとも１つの微細突起部を有し、それにより陰茎を刺激する。微細突起部における微細突起は、典型的にはマイクロレンズ状の表面突起であり、この点で、従来の内部での肉眼で視認できる明確な突起や襞構造を刺激材とする精子採取装置とは大きく異なる。
【００１９】
すなわち、従来の精子採取装置における突起は、疣状あるいはポリープ状の肉眼で視認可能な明確な突起を有するが、本発明の微細突起（典型的にはマイクロレンズ状の表面突起）は、肉眼では若干光学的な組織が観察される程度でのもので、明確に突起として視認されるものではない。ここで、光学的な組織とは、単なる平滑面ではなく、表面突起を一定のパターンで有する構造であり、各突起は好ましくは１ｍｍ未満、より好ましくは５００μｍ以下、さらに好ましくは２００μｍ以下の直径を有する凸構造である。凸部の高さはその半径以下であるが、より好ましくは半径の５分の１以下、さらに好ましくは半径の９分の１以下である。例えば、２００μｍ以下の直径を有する凸構造の場合、最大で１００μｍ未満、より好ましくは４０μｍ以下、さらに好ましくは２０〜３０μｍ以下である。突起形状の例としては、半球状、半円筒状等が挙げられる。また、一定のパターンの例としては、縦横に整列させたパターン、一定方向に並べた列状パターン、波状、同心円状、水玉状、ハニカム状、文字状、図形状等が挙げられる。これらは組み合わせてもよい。
【００２０】
このような微細突起部２４の表面構造の例を図６に示す。これは、半球状の突起２２を平面２３上にハニカムパターンで設けた例である。
【００２１】
微細突起は容器本体内に少なくとも１箇所設けるが、好ましくは複数個所、より好ましくは、無突起部を挟んで複数個所に設ける。その実施態様としては、図２、図３及び図５に示す内装部材６の少なくとも内表面に前記微細突起を設け、この複数の内装部材６を間隔を置いて容器本体内に設ける態様が挙げられる。内装部材６を配置する位置は特に限定されないが、好ましくは図２、図３及び図５に示すように、近位側に内装部材６を設ける。図７に、微細突起部を含む断面図を示す。すなわち、本発明はその典型的な態様において、使用時には、図７で３個の内装部材６で包囲画定される空間を形成するとともに、陰茎表面を、肉眼で明確に視認できない程度の微細突起部で刺激する。
【００２２】
内装部材６は、弾力を有する弾性体であり、例えば、シリコーン樹脂、ポリスチレン樹脂、エラストマー等の弾力と柔軟性、伸縮性を合わせ持った材料を弾性体として構成する。微細突起は内装部材の表面に直接、成形してもよいが、より好ましくは、前記材料をコアとしその表面により硬度の大きな微細突起層を積層することにより形成する。例えば、市販のマイクロレンズシート（マイクロレンズ状の表面突起を有する厚さ数百μｍ程度のシート）を内装部材表面に固定する。固定は、用いる材料において可能な限り、接着、融着、嵌合その他任意の方法で行うことができる。ここで、表面層は内装部材に比べ硬度が高い材料で構成することが好ましい。かかる構成を取ることで、使用時の摩擦と弾力の両者を最適化できる。内装部材に比べ硬度が高い材料の例としてはポリ塩化ビニル（ＰＶＣ）、ポリプロピレン（ＰＰ)、硬質シリコーンなどの弾性が小さく、伸縮性の少ない適度な硬さを持った樹脂が挙げられる。
【００２３】
より好ましくは、弾性コアを前記シートで全てを覆うのではなく、被覆されていない部分を残す。これにより、陰茎挿入時に、挿入により加わる密閉圧力による反発力で陰茎に過度の圧力を加えることなく、内部弾性体が非被覆部分から逸出するように変形伸縮し、これによりコア圧力が周囲の方向に適度に分散し、本発明独自の摩擦作用がより効果的に発揮される。
【００２４】
内装部材は、図１〜５では肉厚平板状のものを３個設ける態様を示しているが、１個の内装部材を容器内周に沿って連続的に設けることも可能である。また、２個の内装部材を両者間に空隙を設けつつ容器内周に沿って設置することも可能である。さらに、４個以上の内装部材を設けてもよい。取り外し可能な構造とする場合は１〜６個、好ましくは２〜５個の範囲で内装部材を設ける。
【００２５】
各部材は全体または一部が湾曲した構造を有することが好ましくは、特に好ましくは、図８に示すように、容器軸に沿って細長でその中央の厚みが両側の厚みよりも膨らんだ概ね平板状の部材とする。このような部材を容器内に設けることで、前述のように、部材６が概ね筒体内表面にフィットするとともに、弾性体の収縮圧力が効果的に陰茎に加わり、使用時に摩擦効果、刺激効果を奏する。
【００２６】
内装部材６は中間部筒体に任意の方法で固定できるが、衛生上の考慮から取り外し可能とすることが好ましい。ひとつの態様としては、図２、図３、図５及び図７に示すように、２つの湾曲面をその中心において連結部で連結した断面が概ねＨ字型の部材（以下、単に「Ｈ字型部材」という）７を（前記湾曲面のうちの一方が内装部材６の外周面に固定されるように）外周側に設け、前記連結部これを中間筒部２の近位端面に設けたスリット８に係合させる。同様に近位側筒部１にもその遠位端面にスリット（図示していない）を設けてもよい。しかる後、近位側筒部１と中間筒部２を結合することでＨ字型部材７を挟み込み固定する。近位側筒部１と中間筒部２の結合には慣用の方法が用いられる。例えば、中間筒部２に固定部９を設け、これにより近位側筒部１を固定把持する。固定の方法は任意であるが、例えば、近位側筒部１外周の一部にリブ（図示していない）を設け固定部９の内面に溝を設け、両者が嵌合固定されるようにする。
【００２７】
なお、近位側筒部１の近位端の外周１７は使用時に陰茎基部などを傷つけないように丸みを持たせることが好ましい。近位側筒部１の近位端の開口部（陰茎挿入部）についても、図では単純な円として示してあるが、ゴムその他の保護部材で被覆するなどにより陰茎を傷つけないようにすることが好ましい。
【００２８】
本発明の精子採取装置は中間筒部２のさらに遠位側に採取精子保持部を有する。採取精子保持部は上記各図では、遠位側筒部３と蓋部４からなる。一般的には精液採取後、遠位側筒部３から蓋部４をはずして、主として蓋部４に保持された精液を取り、所定の目的に使用する。遠位側筒部３と蓋部４は個別の部材であるが、適当な結合手段により結合される。結合手段の例としては、(a)遠位側筒部３の外周面の一部１１と蓋部４の内周面の一部１５にネジ山（図示していない）を設け、両者を螺合固定する、(b)遠位側筒部３の外周面の一部１１と蓋部４の内周面の一部１５に溝とリブ（いずれも図示していない）を設け、両者を嵌合固定する等が挙げられるが、このほか任意の方法が可能である。
【００２９】
また、中間筒部２と遠位側筒部３は個別の部材であるが、適当な結合手段により結合される。結合手段の例としては、(a)中間筒部２の外周面の一部１２と遠位側筒部３の内周面の一部１９にネジ山（図示していない）を設け、両者を螺合固定する、(b)中間筒部２の外周面の一部１２と遠位側筒部３の内周面の一部１９に溝とリブ（いずれも図示していない）を設け、両者を嵌合固定する等が挙げられるが、このほか任意の方法が可能である。精子の採取に差支えがなければ、中間筒部２と遠位側筒部３は一体に成形してもよいし、中間筒部２を直接蓋部４に連結できるようにしてもよく、また、図では遠位側筒部３を１個のみ設けているが、遠位側筒部３を相互に連結できるようにして複数個を連結してもよい。これにより、利用者の陰茎長さに応じた使用が可能である。なお、遠位側筒部３（複数設ける場合はそのうち最遠位のもの）の遠位端の外周１８は使用時に手のひら等を傷つけないように丸みを持たせることが好ましい。
【００３０】
上述した各筒体の材質は特に限定されないが、一般的には筒状のアクリルまたはポリカーボネート、硬質プラスチックあるいはアルミ等の金属材料等、硬くて軽い材料によって構成する。
【００３１】
さらに、本発明の精液採取装置では、蓋部４にスプレー噴射穴１０を設けてもよい。これは、本体容器内に水分やローションその他を噴射するためのものであり、例えば、これらの液体を封入したスプレー装置５のノズル部をスプレー噴射穴１０に挿入しスプレープッシュ部１６を押し込むことにより内部の液体を噴射させる。容器内部は空洞が多く通気性が良いため、内部は乾燥しやすいが、水分を噴射することにより適度な湿度を付与できる。また、ローション(潤滑液)を使用し潤滑させることで、性的な刺激を得ることが可能である。これらは容器本体に適当な注入口を設けて注入してもよいが、前記スプレー装置によれば、利用者が適時適量をスプレープッシュ部を押すことで、液体が容器内部に噴霧されるため、過剰な水分やローションで刺激が妨げられることもなくローションの節約にもつながる。
【００３２】
本発明の精液採取装置は単独でも使用できるが、図９に示す固定具３４と併用してもよい。すなわち、本発明の装置を用いた場合、数ｍｍ程度のわずかな動きでも、弾性体表面の凹凸と内部の弾性樹脂により、特有の擦過作用が働き、十分な刺激となる。
【００３３】
このわずかな動きでも、的確かつ効率的に安定した刺激を与えるために、包皮を固定しておくことが好ましい。そのために使用する道具が専用の固定具３４である。固定具３４は、腰の周りに固定具３４を固定するためのベルト部３２、Ｏ型輪２６、J型フック２７と、固定部材３０、紐状部材２８と小球又は小球をスライスした形状(円柱)２９及びシート部３３からなる。使用時には、腰周りにベルト部３２を回し、J型フック２７をＯ型輪２６に懸けて固定する。一方、シート部又は紐状部３３を臀部から股間を経て身体の前側に引き出し、紐状部材２８を包皮（図示していない）に巻き回し、固定部材３０に設けた通し穴３１に通すことで固定する。紐状部材２８と小球２９により、包皮の戻りを止め、挿入に必要な勃起状態を一時的に維持し、包皮のずれを生じることなく的確な摩擦作用による刺激を効果的に陰茎に与えるために使用する。
【００３４】
なお、スプレーと固定具は容器本体に収納できる大きさとすることが好ましく、これにより携帯や保管が容易となる。
【００３５】
以上の通り、本発明の装置によれば、比較的単純な構造で、軽量かつ効果的な精液採取装置が実現できる。但し、上記の態様は例示であり、本発明は、その技術思想の範囲内で変更・修正等が可能である。
【００３６】
例えば、内装部材６は、弾性コアと微細突起を有する硬質被覆シートの組み合わせにおいて、弾性コアは空気または液体を封入した袋状部材を用いてもよい。袋状部材にシリコーンやエラストマーなどと同等の弾力の効果をもたせることで、一定の効果をもたせることが可能である。  また、内装部材６と容器本体との結合方法は、前記Ｈ字型部材とスリットの組見合わせ以外にマジックテープ、磁石、吸盤等の方法がある。例えば、マジックテープの場合は、内装部材６の外周面と容器本体の内周面にマジックテープを設け、これらを係合させることで固定する。磁石の場合は、内装部材６の外周面に磁石を設け、容器本体を鉄等の材料で構成することにより固定を行う。
【００３７】
また、本発明では、遠位側筒部３は格別な内部構造を有しないが、ここに、従来と同様な肉眼で視認できる程度の突起や襞等を設けてもよい。精子の採取や洗浄の容易さの点では、単純な筒体であることが好ましいが、本発明によれば、そのような内部構造付筒体を代え筒としたキット構成としてもよい。
【００３８】
また、前記各筒体や内装部材の表面に、抗菌加工を施せばより清潔な利用ができる。さらに、水やローションに代えて、衛生上・法令上許容される他の液体を使用することもできる。このような液体としてはエタノール水溶液が挙げられる。エタノール水溶液を用いる場合、アルコール濃度76.9〜81.4vol％の消毒用エタノールでは、このような効果は得られず、むしろ消毒時特有の痛みを伴うため、より低濃度、例えば40度前後が好ましいが、これもアルコールに対する耐性によって変わり得る。また、アルコール以外であっても、刺激性や催淫作用のある薬剤を薬理上・法令上許容される範囲で用いてもよい。
【００３９】
［実験例］
健康な２０〜３０代の男性被験者１０名に対し、上記で説明した本発明の装置の試用を依頼し、その効果を確認した。
その結果、１０名中９名が従来の同種の装置に比べ、刺激性が異なりより鋭敏な感覚が得られたと回答し、１名は従来の同種の装置に比べ、刺激性が異なるものの刺激は同程度であったと回答した。また、いずれも、亀頭部に複雑な構造体がないため、精子の採取が容易であり、装置の洗浄・再利用が容易であるとの回答が得られた。
【産業上の利用可能性】
【００４０】
本発明の精液採取装置は、精子銀行や病院などにおける医療用として衛生的に使用ができる。また、使用方法も簡易である為、性機能障害者や身体障害者、老人などでも使用が可能であり、ＥＤ治療その他医療施設以外での使用も容易である。また、男性はもちろん、ニューハーフやゲイなどの社会的に性的欲求を満たすことが困難な立場の利用者にも、こういった商品を利用することにより、各個人の性的衝動の自制、抑制を促し、健全な社会を目指すことに貢献できる。さらに本発明では内装部材（弾性体）を様々な立体形状に変化させることで幅広く様々な商品へ転用、応用が可能であり、人種、性別、年齢を問わず同様の効果が得られる。
【符号の説明】
【００４１】
１・・・近位側筒部
２・・・中間筒部
３・・・遠位側筒部
４・・・蓋部
５・・・スプレー装置
６・・・内装部材
７・・・Ｈ字型部材
８・・・スリット
９・・・固定部
１０・・・スプレー噴射穴
１１・・・遠位側筒部の外周面の一部
１２・・・中間筒部の外周面の一部
１３・・・結合用凸部(中間筒近位)
１４・・・結合用凹部(近位側筒部)
１５・・・蓋部内周面の一部
１６・・・スプレープッシュ部
１７・・・近位側筒部の近位端外周
１８・・・遠位側筒部の遠位端外周
１９・・・遠位側筒部の内周面の一部
２０・・・精子採取装置
２１・・・スプレー噴射穴
２２・・・微細突起
２６・・・Ｏ型輪
２７・・・J型フック
３２・・・ベルト部
３４・・・固定具
【図１】
2012239560.tif 000003
【図２】
2012239560.tif 000004
【図３】
2012239560.tif 000005
【図４】
2012239560.tif 000006
【図５】
2012239560.tif 000007
【図６】
2012239560.tif 000008
【図７】
2012239560.tif 000009
【図８】
2012239560.tif 000010
【図９】
2012239560.tif 000011